(57)【特許請求の範囲】
【請求項１】
底部中央で内側に臨んだ釣鐘状突起を有する有底筒状網体と、該有底筒状網体の開口端に設けた縁部と、該縁部に開閉可能に設けられた網体から成る平板状の上蓋と、前記縁部に設けた柄と、前記有底筒状網体の開口端縁部から外壁に沿って底部において交差するよう圧接させた少なくとも二本の針金状の補強リムとで構成し、有底筒状網体が前記補強リムとの接面において内側に筋状の隆起を生じさるよう構成したことを特徴とする万能米研ぎ器。
【請求項２】
前記有底筒状網体の釣鐘状突起の周りに、底面波形を施して構成することを特徴とする請求項１に記載の万能米研ぎ器。
【請求項３】
前記有底筒状網体を、有底多角筒状網体に形成して構成することを特徴とする請求項１及び請求項２記載の万能米研ぎ器。
【発明の詳細な説明】
【０００１】
【産業上の利用分野】
本発明は、米研ぎ器に係り、詳しくは、容易且つ短時間での米研ぎを行なうことができ、可及的に少量の水で直接的に水に触れることなく米研ぎが完了し得る安価に生産可能な万能米研ぎ器に関するものである。
【０００２】
【従来の技術】
米を炊く場合には、予め、米粒の表面に付着しているゴミや精白し残された米糠等を除去するために、通常は、米を洗い濯ぐという作業が行われる。
【０００３】
従来、このような米研ぎ作業を行なう場合には、一旦、計量された米を炊飯器の内鍋やざる等に入れ、その米を、水を注ぎながら手でもみ洗い、繰返し水を代えて濯ぐという作業を行なうか、または水を注ぎながら器具を用いて攪拌し、繰返し水を代えて濯ぐという作業法が一般的に行なわれている。
【０００４】
しかし、前記従来の方法により米研ぎを行なった場合、前者の場合には、米洗いのために使用する水に使用者の手が直接触れるため、夏等の比較的水温の高い時期には問題ないのであるが、冬期のように水温が低い場合には特に辛く、しかも手でもみ洗い、濯ぐという作業を繰り返すことにより、手の皮膚にあかぎれ等の障害を誘発させる原因になっていた。
【０００５】
また後者の場合においても、米を器具を用いて攪拌してこすり洗いをするため直接的に水に触れる必要がなく冷温での米洗いを行なった場合でも前者のような不都合は少ないのであるが、器具と米との衝突等により米が割れるという欠点が生じていた。
【０００６】
そこで、本願出願人はこれらの問題を解決すべく実公平４ー４３１９０号のような米研ぎ器を考案し既に出願しているが、これにおいては弾性袋体の外側から手で揉み洗いをするため直接的に水に触れる必要がなく上記のような冬期の米研ぎ作業の際の手の辛さや皮膚障害の誘発を大幅に防止するものであったが、該弾性袋体内の摩擦抵抗が十分に大きくないために、米研ぎが不十分になることや該弾性袋体の外面を揉む作業中において手が冷えて辛いという欠点が残っていた。
【０００７】
【発明が解決しようとする課題】
しかるに、本発明は上記欠点を解消し、炊飯前に不可欠な予備作業である米の研ぎ作業を少ない水量で効率よく行なえ、且つ、直接冷水に接触することなく米を洗い濯ぐ事ができる万能米研ぎ器を提供する事を目的としてなされたものである。
【０００８】
また本発明は、その作業中に米を漏れ落としたり、米を傷めてしまうこともなく米研ぎを行ない得る万能米研ぎ器を提供する事をも目的としてなされたものである。
【０００９】
更に本発明は、前記各目的を達成し、しかもそれらの各機能を有する万能米研ぎ器を可及的に安価に提供することを目的としてなされたものである。
【００１０】
【課題を解決するための手段】
本発明の万能米研ぎ器は、米粒を通さない網体から成る有底筒状網体の開口端に縁部を設け、該有底筒状網体と同素材の網体から成る平板状の上蓋を、縁部に開閉可能に枢着するとともに、該縁部に柄を設け、さらに、前記有底筒状網体の底部中央に内側に臨んだ釣鐘状突起を設けて構成したものである。
【００１１】
また、本発明の万能米研ぎ器は、前記有底筒状網体の開口端に設けられた縁部から、少なくとも二本の針金状の補強リムを、該有底筒状網体の外壁に沿って底部において交差するように、また、該有底筒状網体がこれら補強リムとの接面において内側に筋状の隆起を生じるように、圧接させつつ配設して構成するものである。
【００１２】
さらに、本発明の万能米研ぎ器は、前記有底筒状網体における上記釣鐘状突起の周りの底面に、例えば半円柱の周壁面状の隆起面を、該底面の内側に臨むように前記釣鐘状突起の裾部縁周から放射する方向に複数本設ける等によって、該有底筒状網体に底面波形を施して構成するものである。
【００１３】
さらに、本発明の万能米研ぎ器は、前記有底筒状網体を、六角柱又は八角柱等の有底多角筒状網体に形成して構成するものである。
【００１４】
また、本発明の万能米研ぎ器は、上記釣鐘状突起に、羽根付冠状回転体を、回転可能に載上して構成するものである。
【００１５】
加えて、本発明の万能米研ぎ器は、上記有底筒状網体ないしは上記有底多角筒状網体の開口端の縁部において、上記上蓋を、例えば軸着部等を設けて該縁部に枢着した場合は、例えば掛止フック等を該軸着部の他端に設けて掛止封着するか、若しくは、上記上蓋を該縁部に枢着しない場合は、例えば該上蓋の縁周の複数箇所にねじ込用小突片や嵌込用小突片等を設けてねじ込封着や嵌込封着するなどの手段によって、該縁部に開閉可能に封着できるように設けて構成するものである。
【００１６】
従って、本発明の万能米研ぎ器においては、上記有底筒状網体ないしは有底多角筒状網体の中に米を挿入し、前記上蓋を封着したうえで鍋等に溜めた水の中に浸け、上記柄を握って左右に振るか、円を描くように旋回させる方法で、米と該網体内壁面との摩擦による米研ぎ及び濯ぎを行なうものである。
【００１７】
【作用】
上記のような構成を採用することにより次のような作用をもたらす。
まず、本発明の万能米研ぎ器においては、柄を握って器体を振り動かした際、器体を構成する上記有底筒状網体の底部中央で内側臨みに設けられた上記釣鐘状突起によって、該有底筒状網体内の洗い水及び米が高効率で攪拌される。
【００１８】
また、本発明の万能米研ぎ器においては、前記釣鐘状突起を含めた前記有底筒状網体及び上記平板状の上蓋が網体から成って器体を構成しているので、器体を余分なく極めて小さい容積に形成することができると共に、該器体を振動させた際に、それら全ての内壁面によって、各々の米粒が、それらの位置にかかわらずに無駄なく高効率で摩擦され、しかるに前項作用と併せて、米粒が高効率に攪拌されつつ研磨されるという米研ぎ作用がもたらされる。
【００１９】
さらに、本発明の万能米研ぎ器においては、前記有底筒状網体の外側から少なくとも二本の補強リムを、底部において交差するように、また、該有底筒状網体がこれら補強リムとの圧接面において内側に筋状の隆起を生じるように、圧接させつつ設けることによって、該有底筒状網体を振動させた際のその内壁面と米粒との摩擦抵抗が、前記筋状の隆起によってさらに大きくなる。
【００２０】
さらに、本発明の万能米研ぎ器は、上記釣鐘状突起の周りの底面に、例えば半円柱の周壁面状の隆起面を、該底面の内側に臨むように該釣鐘状突起の裾部縁周から放射する方向に複数本設ける等によって、前記有底筒状網体に底面波形を施して構成するもので、該底面波形によって、該有底筒状網体を振動させた際のその内壁面と米との摩擦抵抗及び該有底筒状網体内の攪拌作用がさらに大きくなる。
【００２１】
さらに、本発明の万能米研ぎ器においては、前記有底筒状網体を、六角柱又は八角柱等の有底多角筒状網体に形成して構成することができ、該有底多角筒状網体の角部における摩擦によって、該有底多角筒状網体を振動させた際のその内壁面と米との摩擦抵抗及び該有底多角筒状網体内の攪拌作用が大きくなる。
【００２２】
さらに、本発明の万能米研ぎ器においては、上記釣鐘状突起に、回転羽根付の冠状回転体を回転可能に載上して構成することができ、該回転羽根付冠状回転体によって、上記有底筒状網体ないしは前記有底多角筒状網体を振動させた際に、これらの筒状網体内で洗い水及び米が攪拌される作用がさらに大きくなる。
【００２３】
さらに、本発明の万能米研ぎ器においては、上記上蓋を、枢着及び他端掛止、或は、ねじ込や嵌込等の手段によって、前記有底筒状網体ないしは前記有底多角筒状網体の開口端に対して、開閉可能に封着できるように設けて構成することができ、このように該上蓋を封着することによって、これらの有底筒状網体を振動させた際の米の漏れを防止する。
【００２４】
さらに、本発明の万能米研ぎ器においては、前記有底筒状網体ないしは前記有底多角筒状網体及び平板状の上蓋を、網体にして極めて小さな有効容量範囲内の器体になるよう構成されているため、上記柄を握って、鍋等に溜めた水の中から、該上蓋が封着されたままの該有底筒状網体ないしは該有底多角筒状網体を上げ出すだけで水切りを完了するものである。
【００２５】
また、本発明の万能米研ぎ器においては、上記したように極めて小さな有効容量範囲内の器体にするという極めて簡易な構成をとっているために、安価に生産して提供できる。
【００２６】
【発明の実施の態様】
本発明に係る万能米研ぎ器の一実施例を図面に基づき詳細に説明する。
本発明の万能米研ぎ器１は、図２において示したように、有底筒状網体１１、釣鐘状突起１２、開口端縁部１３、上蓋１４、柄１５から構成されており、米を内装し、柄を握って米研ぎ作業を行なえるようにしたものである。
【００２７】
図１は、本発明の万能米研ぎ器の一実施例の上記有底筒状網体１１を示しており、該有底筒状網体１１は米粒を通さない目を有する網体で上面を開口するよう筒状に形成されており、その底部中央には同素材の網体から成った釣鐘状突起１２が内側に臨むように設けられ、また、上面開口端には縁部１３が設けられ、さらに、該縁部１３には柄１５が設けられている。
【００２８】
次に、図２に示した本発明の万能米研ぎ器は、前記有底筒状網体１１の上面開口端を上蓋１４によって閉じられており、該上蓋１４は、前記有底筒状網体１１と同素材の網体で、略同径の平板状に形成されたものであり、例えば、前記縁部１３に軸着部３を設けてこれを介して該縁部１３に枢着し、さらに、その他端における該縁部１３に掛止フック４を設けて掛止できるように設けるか、或いは、図示しないが、螺子込用の螺子目や嵌込用の突片を該上蓋１４の縁部に設けるなどの手段によって、該縁部１３に対して、開閉可能に封着できるように設けられる。
【００２９】
前記釣鐘状突起１２は、図３に示したように、上記有底筒状網体１１の底部において、底部中央から内側へ、釣鐘を形成するよう臨ませて設けられている。
【００３０】
次に、上記実施例の上記有底筒状網体１１の周壁の断面を、図４乃至図５において示す。
図５は、図４において示した前記有底筒状網体１１の周壁断面７を、拡大図によって示したものであり、８は、米粒を通さない小孔であり、また、９は網であって、例えば、図中に示したように、該網９を、その内壁側のみを凸面に形成することで、可及的に米との抵抗を大きくすることができる。
【００３１】
次に、上記有底筒状網体１１に補強リム１６を配設した様子を、図６乃至図７において示す。
図６において示したように、前記補強リム１６は、例えば金属等の硬性で且つ屈曲可能な素材を、針金状に形成したものであり、該補強リム１６の複数本（図面では二本を設けた例を示した）を、上記縁部１３から、上記有底筒状網体１１の外壁に沿って配設すると共に底部で交差するように配設している。
【００３２】
また、図７は、図６中において示した前記補強リム１６の配設の様子を示したものであり、該補強リム１６は、前記有底筒状網体１１に対して圧接させ、該有底筒状網体１１の該補強リム１６との圧接面に筋状の隆起１７を生じさせるように配設して構成する。
【００３３】
次に、上記有底筒状網体１１の底部に、底面波形１８を施した様子を図８乃至図９に示す。
図８及び図９に示したように、前記有底筒状網体１１の上記釣鐘状突起１２の周りの底面に、底面波形１８を施した様子を示しており、該底面波形１８は、例えば、半円柱の周壁面状の隆起面１０を、該底面の内側に臨むように、前記釣鐘状突起１２の裾部縁周から放射する方向に複数本配設して構成しており、前記隆起面１０は、上記小孔７及び網８を維持しながら等間隔に配設される。
【００３４】
次に、上記有底筒状網体１１を有底多角筒状体に形成して構成する様子を、図１０乃至図１１において示す。図１０は、前記有底筒状網体１１を、例えば、有底六角筒状網体１１ａに形成した様子を示しており、この場合は、上記縁部１３を六角縁部１３ａに、また上記平板状の上蓋１４を該有底六角筒状網体１１ａに平面視略同形で平板状の六角上蓋１４ａにそれぞれ形成して構成する。
【００３５】
また、図１１は、前記有底筒状網体１１を、例えば、有底八角筒状網体１１ｂに形成した様子を示しており、この場合は、上記縁部１３を八角縁部１３ｂに、また上記平板状の上蓋１４を該有底八角筒状網体１１ｂに平面視略同形で平板状の八角上蓋１４ｂに、それぞれ形成して構成する。
【００３６】
次に、上記釣鐘状突起１２に羽根付冠状回転体２を載上した様子を、図１２乃至図１３において示す。
図１２は、前記釣鐘状突起１２に前記羽根付冠状回転体２を載上した様子を、その中央断面図で示しており、該羽根付冠状回転体２は、例えば樹脂等を冠状に形成し、その周壁に回転羽根２１を等間隔に配設したものであり、前記釣鐘状突起１２に対して、回転可能に載設している。
【００３７】
また、図１３は、前記羽根付冠状回転体２の前記回転羽根２１を示したものであり、該回転羽根２１は、例えば、細長薄板形状の羽根２１１三枚と、該細長薄板形状羽根より比較的重く回転を誘導する働きをする細長厚板形状の羽根２１２一枚とを、前記冠状回転体２の周壁において内心から直交する方向に、等間隔に配設して構成している。
【００３８】
次に、図１４は、上記上蓋１４の上記縁部１３に対する封着方法の一実施例を示しており、該縁部１３に引掛けフック５を設けるとともに、その他端における該縁部１３に掛止フック６を設け、該上蓋１４を該引掛けフック５に引掛けた後に、掛止フック６によって掛止して封着するよう構成している。
【００３９】
次に、図１５は、本発明の万能米研ぎ器１の使用状態を示しており、米を万能米研ぎ器に内装し、前記上蓋１４を封着した上記有底筒状網体１１を、洗い桶等に有底筒状網体１１が浸漬できる程度に溜めた洗い水に浸け、上記柄１５を握って、左右に振り動かすか旋回させるだけで米研ぎ作業が行なえる。
【００４０】
【発明の効果】
本発明の万能米研ぎ器においては、器体を底部中央で内側に臨んだ突起を有する有底筒状網体と、これに同様の網体から成った開閉可能な平板状の上蓋とで余分なく極めて小さい容積に形成することによって、器体を振り動かせた際の器体内部の攪拌効率と摩擦抵抗を高め、それにより効率の高い米研ぎを可能とする。
【００４１】
また、前記効果によって、可及的に少ない水量で米研ぎを完了することができ、洗い水の入れ替えが少なくて済むので節水できる。
【００４２】
さらに、上蓋を含めた器体全体が米粒を通さない網体から成っているため、柄を握って、器体を水中から上げ出すだけで水切りを完了できるとともに、米研ぎ作業中はもとより、洗い水の入れ替えの際にも、前記のような水切りが可能なことによって、米の漏れ落としを完全に防ぐことができる。
【００４３】
さらに、本発明の万能米研ぎ器においては、柄を握って米研ぎ作業ができ、且つ、前記のような水切りや洗い水の入れ替えができるため、器体への米の挿入から米研ぎ作業完了に至るまで、手を水に触れさせる必要がなく、そのことによって冬期の水仕事の辛さや手のあかぎれ等から解放される。
【００４４】
さらに、本発明においては、柄を握って器体を振動させる作業により米研ぎを行なうものであるために、微妙な力加減が可能であり、それによって不必要に米を傷めてしまうことを防ぐことができる。
【００４５】
また、本発明における万能米研ぎ器は、器体が簡易な構成をとっているために、安価に生産でき提供できる。
【図面の簡単な説明】
【図１】本発明の万能米研ぎ器の一実施例の説明図である。
【図２】本発明の万能米研ぎ器の一実施例の説明図である。
【図３】本発明の万能米研ぎ器の一実施例の中央断面図である。
【図４】本発明の万能米研ぎ器の一実施例の説明図である。
【図５】本発明の万能米研ぎ器の一実施例の部分断面図である。
【図６】本発明の万能米研ぎ器の一実施例の説明図である。
【図７】本発明の万能米研ぎ器の一実施例の説明図である。
【図８】本発明の万能米研ぎ器の一実施例の説明図である。
【図９】本発明の万能米研ぎ器の一実施例の部分断面図である。
【図１０】本発明の万能米研ぎ器の一実施例の説明図である。
【図１１】本発明の万能米研ぎ器の一実施例の説明図である。
【図１２】本発明の万能米研ぎ器の一実施例の中央断面図である。
【図１３】本発明の万能米研ぎ器の一実施例の説明図である。
【図１４】本発明の万能米研ぎ器の一実施例の説明図である。
【図１５】本発明の万能米研ぎ器の一実施例の説明図である。
【符号の説明】
１    万能米研ぎ器
１１  有底筒状網体
１２  釣鐘状突起
１３  開口端縁部
１４  上蓋
１５  柄
【図１】
0003786145.tif 000002
【図２】
0003786145.tif 000003
【図３】
0003786145.tif 000004
【図４】
0003786145.tif 000005
【図５】
0003786145.tif 000006
【図６】
0003786145.tif 000007
【図７】
0003786145.tif 000008
【図８】
0003786145.tif 000009
【図９】
0003786145.tif 000010
【図１０】
0003786145.tif 000011
【図１１】
0003786145.tif 000012
【図１２】
0003786145.tif 000013
【図１３】
0003786145.tif 000014
【図１４】
0003786145.tif 000015
【図１５】
0003786145.tif 000016